(57)【要約】【課題】  粗選別装置で粗選別された異物と籾粒とが接近した取出口位置に取出されると、異物が飛散して籾粒側へ再混入したり、又、選別装置の上網や、下網部における選別詰りが発生易く、メンテナンス作業に長い時間を要する。【解決手段】  揺動棚枠２に、籾の供給を受けて前側へ揺動移送しながらわら屑や、砂礫等を選別する前下がり傾斜の上網３と、この上網３から漏下する籾を受けて選別する後下がり傾斜の下網４と、この下網４から漏下する細異物を受けて前側へ揺動移送させる前下がり傾斜の底板５とを、上下折重状形態にして装着し、前記上網３の前端部から流下するわら屑を排出する三番口６と、底板５前端部から流下する異物を排出する四番口７とを、前記揺動棚枠２の前端部に設け、前記下網４から流下する籾米を排出する一番口８を、揺動棚枠２の後端部に設ける。【選択図】  図１
2014180653.tif 000002
【特許請求の範囲】
【請求項１】
架台（１）に対して揺動可能に支架する揺動棚枠（２）に、籾の供給を受けて揺動移送しながらわら屑や砂礫等を選別する傾斜姿勢の上網（３）と、この上網（３）から漏下する籾を受けて流下移送しながら砂礫などの細異物を漏下選別する上網（３）と反対方向に傾斜姿勢の下網（４）と、この下網（４）から漏下する細異物を受けて揺動移送させる傾斜姿勢の底板（５）とを、上下方向に装着し、前記上網（３）の搬送終端部から流下するわら屑を排出する三番口（６）と、底板（５）の搬送終端部から流下する異物を排出する四番口（７）とを、前記揺動棚枠（２）の一端部側に設け、前記下網（４）から流下する籾米を排出する一番口（８）を、揺動棚枠（２）の他端部側に設けたことを特徴とする粗選別装置。
【請求項２】
前記上網（３）の下面に摺接するスクレーパ（９）を搬送方向に設定間隔に配設したことを特徴とする請求項１に記載の粗選別装置。
【請求項３】
前記上網（３）、及びスクレーパ（９）の搬送終端部分を、搬送終端部網（３Ｆ）、及び搬送終端部スクレーパ（９Ｆ）として、搬送終端部網（３Ｆ）の搬送始端側の搬送網（３Ｒ）、及び搬送スクレーパ（９Ｒ）に対して着脱可能、又は起伏回動可能に設け、前記下網（４）の搬送始端部上面を解放可能とすることを特徴とする請求項１、又は請求項２に記載の粗選別装置。
【請求項４】
前記揺動棚枠（２）の上方部には、籾を繰出供給する漏斗（１０）や、この漏斗（１０）から繰出される籾を風選する選別風路（１１）、この選別風路（１１）に選別風を吸引送風する吸引ブロア（１２）、前記選別風路（１１）で風選された籾や、二番物を受ける籾落口（１３）、二番口１４等からなる風選装置（１５）を設け、前記選別風路（１１）の籾落口（１３）を、前記揺動棚枠（２）の上網（３）の後端上面部にのぞませ前記風選装置（１５）の選別風路（１１）は、風筒（１６）を介して、前記上網（３）と下網（４）との間の網棚室（１７）にのぞませて、この網棚室（１７）内の吸塵排出を行わせることを特徴とする請求項１から請求項３いずれか記載の粗選別装置。
【発明の詳細な説明】
【技術分野】
【０００１】
この発明は、籾摺機等に供給するための籾粒を選別する粗選別装置に関するもので、収穫籾を貯留する籾漕プラントや、籾乾燥プラント、籾摺機、籾摺精米機などの一部粗選別装置として利用することができ、籾粒に混入するわら屑や、砂礫、その他の夾雑物等の異物を選別除去するものである。
【背景技術】
【０００２】
上網と下網を上下二段の平行状、傾斜形態に配置して、この傾斜上端側から原籾を供給して、傾斜下端側へ流下させながら籾選別を行わせる技術（例えば、特許文献１参照）が知られている。
【先行技術文献】
【特許文献】
【０００３】
【特許文献１】特開昭５５ー１６７０７１号公報
【発明の概要】
【発明が解決しようとする課題】
【０００４】
収穫した原籾は、わら屑や、砂礫等の異物を多量に混入していることがあり、粗選別装置でこれらの異物を選別除去するために、簡潔的で、高能率の粗選別処理して、本体として処理目的の籾摺機や、乾燥機等に供給することを要する。このため、粗選別された異物と籾粒とが接近した取出口位置に取出されると、異物が飛散して籾粒選別位置側へ再混入したり、又、選別装置の上網や、下網部における選別詰りが発生易いために、これらに対処するためのメンテナンス作業に長時間を要すること多い。
【課題を解決するための手段】
【０００５】
請求項１に記載の発明は、架台（１）に対して揺動可能に支架する揺動棚枠（２）に、籾の供給を受けて揺動移送しながらわら屑や砂礫等を選別する傾斜姿勢の上網（３）と、この上網（３）から漏下する籾を受けて流下移送しながら砂礫などの細異物を漏下選別する上網（３）と反対方向に傾斜姿勢の下網（４）と、この下網（４）から漏下する細異物を受けて揺動移送させる傾斜姿勢の底板（５）とを、上下方向に装着し、前記上網（３）の搬送終端部から流下するわら屑を排出する三番口（６）と、底板（５）の搬送終端部から流下する異物を排出する四番口（７）とを、前記揺動棚枠（２）の一端部側に設け、前記下網（４）から流下する籾米を排出する一番口（８）を、揺動棚枠（２）の他端部側に設けたことを特徴とする粗選別装置とする。
【０００６】
請求項２に記載の発明は、前記上網（３）の下面に摺接するスクレーパ（９）を搬送方向に設定間隔に配設したことを特徴とする請求項１に記載の粗選別装置とする。
請求項３に記載の発明は、前記上網（３）、及びスクレーパ（９）の搬送終端部分を、搬送終端部網（３Ｆ）、及び搬送終端部スクレーパ（９Ｆ）として、搬送終端部網（３Ｆ）の搬送始端側の搬送部網（３Ｒ）、及び搬送部スクレーパ（９Ｒ）に対して着脱可能、又は起伏回動可能に設け、前記下網（４）の搬送始端部上面を解放可能とすることを特徴とする請求項１、又は請求項２に記載の粗選別装置とする。
【０００７】
請求項４に記載の発明は、前記揺動棚枠（２）の上方部には、籾を繰出供給する漏斗（１０）や、この漏斗（１０）から繰出される籾を風選する選別風路（１１）、この選別風路（１１）に選別風を吸引送風する吸引ブロア（１２）、前記選別風路（１１）で風選された籾や、二番物を受ける籾落口（１３）、二番口１４等からなる風選装置（１５）を設け、前記選別風路（１１）の籾落口（１３）を、前記揺動棚枠（２）の上網（３）の後端上面部にのぞませ前記風選装置（１５）の選別風路（１１）は、風筒（１６）を介して、前記上網（３）と下網（４）との間の網棚室（１７）にのぞませて、この網棚室（１７）内の吸塵排出を行わせることを特徴とする請求項１から請求項３いずれか記載の粗選別装置とする。
【発明の効果】
【０００８】
請求項１に記載の発明は、籾揺動選別行程を、傾斜面方向を前後交互逆向きになるように形成して、揺動移送の上段部の上網３から、中段部の下網４を経て、下段部の底板５へと、揺動移動させて下降搬送させながら揺動選別することにより、コンパクトな粗選別装置に形成しても、前後折返状、乃至ジグザグ状に揺動移送しながら選別して選別行程を長く維持することができ、しかも簡潔的な選別棚形態とすることができ、小形化できて、高能率、高性能の粗選別を行わせることができる。
【０００９】
また、前記一番口を揺動棚枠２の後端側に配置し、三番口６と四番口７を前端側に配置するため、大きさの異なるわら屑や、破礫等の各異物の排出処理を、三番口６、四番口７として揺動棚枠２の前端側に相接近して配置するため、異物処理を行い易くすることができる。
【００１０】
また、精選の整粒籾は、前記三番口６や、四番口７とは反対側の後端側に位置して設置の一番口８に精選状態を維持して取出されるため、前後距離間隔を離間した配置の形態であるか、この籾粒に対して三番口６や四番口７などに排出された異物が再混入するおそれを少くすることができる。
【００１１】
請求項２に記載の発明は、前記のように粗大異物の揺動移動される上網３の下面にスクレーパ９を摺接させるものであるから、構成を簡単にして、このスクレーパ９によって上網３上面の前後全行程に亘る異物の移送停滞や詰り現象を少くするため、作業者のメンテナンス操作を少くすることができる。
【００１２】
そして、前記スクレーパ９によって、上網３の網目下面に突出する異物が削り取られて除去されたり、詰っていた異物が上網３上面側へ押し上げられて、円滑な揺動移送作用を行わせることができ、上網３全面を良好な網目状態に保持することができる。
【００１３】
請求項３に記載の発明は、前記揺動棚枠２に折重ね形態に装着された上網３と下網４との間の前端部間隔は狭く形成されて、わら屑等の詰り易いものであるが、これら下網４上側部に重合する搬送終端部網３Ｆや、搬送終端部スクレーパ９Ｆ等は、搬送部網３、搬送部スクレーパ９Ｒに対して着脱、起伏回動して、搬送終端部スクレーパ９Ｆ上側や、下網４前端部上面等の上下間隔の狭い部分を開放することができるため、わら屑等異物の取り除きや、掃除操作を簡単、容易に行うことができ、しかも、これら上網３や、スクレーパ９の搬送終端部網３Ｆや、搬送終端部スクレーパ９Ｆ部の一部分のみを開く、簡単な構成、操作によって、後部奥側の下網４上面部の掃除を行い易くすることができる。
【００１４】
更には、このような上網３前端部と、下網４前端部との上下間隔の狭く形成された網棚室１７を、上網３の前端部と、下網４の前端部との折返し部として楔状形態に上下間隔を狭く形成して、機体の高さを低く形成することができ、前記メンテナンスを行い易くすることができる。
【００１５】
請求項４に記載の発明は、揺動棚枠２上の後部上を有効に利用して、全体としてコンパクトな粗選別機体の形態とすることができ、又、上段部の選別風路１１部での風選と、下段部での上網３、下網４、及び底板５部等による折重ね状形態の選別とによって、段階状の籾流下による粗選別作用を有効、円滑に行わせることができる。又、前記上段部の選別風路１１の選別風は、下段部の網棚室１７内の塵埃を吸引排出するため、構成を簡単化して、一番物である下網４面上の籾粒を精選することができる。又、上部選別風路１１と、下部側の網棚室１７との間の連結は、これらの後端部間に亘って連通する風筒１６を設けるものであるから、構成を簡単にすることができ、この風筒１６を着脱、又は開閉する形態とすれば、網棚室１７内や、選別風路１１内等の掃除、メンテナンス等を簡単容易に行うことができる。
【図面の簡単な説明】
【００１６】
【図１】粗選別機の側面図。
【図２】その平面図。
【図３】揺動棚枠部の側面図。
【図４】その一部の作動状態を示す側面図。
【図５】その平面図（Ａ）と、その一部の正面図（Ｂ）。
【図６】その平面図（Ａ）と、側面図（Ｂ）、正面図（Ｃ）、及びその一部の作用状態を示す正断面図（Ｄ）。
【図７】風筒取付部の側面図。
【図８】スクレーパ調整部の側面図（Ａ）、（Ｂ）と、そのＵ字具部の背面図（Ｃ）。
【発明を実施するための形態】
【００１７】
図面に基づいて、粗選別装置は、立方形態の架台１の内側部に、上網３や、下網４、底板５、及びスクレーパ７等を設けた揺動棚枠２を、モータ１８で駆動のクランク機構１９によって、揺動する形態とし、この架台１の上部には収容した原籾を繰出す誘導漏斗１０と、吸引ブロア１２によって吸引風を通す選別風路１１等を形成する風選装置１５を搭載している。
【００１８】
本実施の形態では、上網３の搬送終端側（下網４の搬送始端側）を前側、上網３の搬送始端側（下網４の搬送終端側）を後側と呼ぶ。
前記揺動棚枠２には、目抜盤形態の上網３と下網４が、上下二段棚の形態に配置されて、上網３は、後端部側を高位置にし、前端部側を低位置にするよう前下り傾斜面に設け、この下側の下網４は、前記上網３の傾斜方向とは逆向傾斜となる後下り傾斜面に設けている。従って、これら上網３、下網４上面に供給された籾は、各々この傾斜面を下り方向へ揺動流下されながらわら屑や、砂礫等を選別する。上網３の下面に摺接するスクレーパ９は、ブラシ２０を固定するホルダ２１を左右の支持枠２２間に亘って取付けたブラシスクレーパの形態として、各スクレーパ７の前後方向の配置間隔Ｃを適宜に設定して、多条、平行形態に配置構成している。
【００１９】
ここにおいて、架台１に対して揺動可能に支架する揺動棚枠２に籾の供給を受けて前側へ揺動移送しながらわら屑や、砂礫等を選別する前下がり傾斜の上網３と、この上網３から漏下する籾を受けて後側へ流下移送しながら砂礫などの細異物を漏下選別する後下がり傾斜の下網４と、この下網４から漏下する細異物を受けて前側へ揺動移送させる前下がり傾斜の底板５とを、上下折重状形態にして装着し、前記上網３の前端部から流下するわら屑を排出する三番口６と、底板５前端部から流下する異物を排出する四番口７とを、前記揺動棚枠２の前端部に設け、前記下網４から流下する籾米を排出する一番口８を、揺動棚枠２の後端部に設ける構成とする。
【００２０】
揺棚動枠２の揺動によって上網３と、下網４、及び底板５を揺動させる。この上網３の傾斜の後端上端部上面に原籾を供給すると、この上網３上面を前端（下端）部へ揺動移送されながら、籾粒や、この籾粒よりも小さいわら屑や、砂礫等異物が、この上網３から下網４面上に漏下され、この上網３上面を前端側へ移送されるわら屑等は、前端部から直下部の三番口６へ流下して排出処理される。前記下網４面に漏下した籾粒等は、この下網４の後端下りの傾斜方向に沿って揺動移送されながら、前記混入の細異物が下網４から下側の底板５面に漏下し、精選された籾粒が後端部から直下部の一番口８へ流下される。前記底板５面に受けた細異物は、この底板５の揺動によって傾斜下端側部、即ち前端部側へ流下されて、この直下部の四番口７へ流下して排出処理される。
【００２１】
前記上網３、下網４から漏下する選別物は、流下方向上手側で受けた選別物をこれらの下側の受板３７、３９で受けて集流しながら、下網４の前端部上面に供給し、又は、底板５の後端部上面に供給して、各下網４面、および底板５面における揺動選別行程を長く形成する形態としているが、このような構成に代えて、直接下網３上面、又は底板５上面に受ける形態とすることも可能である。
【００２２】
又、前記上網３の下面に摺接するスクレーパ９を前後適宜間隔に配設する。
前記上網３の上面に供給された原籾が、前端部側へ揺動移動されながら、籾粒や、これより小さい細異物等がこの上網３から漏下されて、この上網３上面を前端部へ揺動移送された異物が三番口６へ排出される。このような上網３上面の選別作用では、大きいわら屑や、砂礫等の異物が、上網３の網目に詰り易く、局部的に詰り部を生ずると、選別性能を低下させることになり易いものであるが、この揺動選別作用を行う上網３の下面には、スクレーパ９が摺接して、上網３の網目下面に突出する詰った異物を、削り取って除去したり、上網３上面側へ押し上げて揺動移送作用を行わせる。このように、上網３下面に作用するスクレーパ９は、上網３上面の原籾の揺動移送を抵抗阻害することなく、網目の開口状態や、漏下選別状態を良好に維持して、高能率、高性能の粗選別を行わせる。
【００２３】
又、前記上網３、及びスクレーパ９の前端部分を搬送終端部網３Ｆ、及び搬送終端部スクレーパ９Ｆとして、これらの各搬送部網３Ｒ、又は搬送部スクレーパ９Ｒに対して着脱可能、又は起伏回動可能に設け、前記下網４の前端部上面を解放可能の形態とする。
【００２４】
前記揺動棚枠２の装着された上網３や、スクレーパ９は、一体的に揺動して、この上網３上面に供給される原籾を揺動移送しながら、この原籾の籾粒や、この籾粒よい小さいわら屑や、砂礫等の細異物を、この上網３の網目から下網４面に漏下させ、この上網３上面に残って揺動移送される粗大異物が前端部から三番口６へ流下排出される。このような上網３上面で選別された籾粒や、細異物は、下網４面を後端部側へ揺動移送されながら、籾粒を後端部の一番口８へ取出し、下網４の網目を漏下した細異物を底板５面で受けて前端部の四番口７へ排出させる。このような籾選別作用において、上網３上面にわら屑等が詰ったときは、この上面３上側部を覆う上部カバー等を開いて、上面のわら屑や、砂礫等を取り除く。
【００２５】
又、上網３下面や、スクレーパ９等に係合するわら屑が停滞したり、下網４上面にわら屑や砂礫等が詰った場合は、前記上網３前端部分の搬送終端部網３Ｆを揺動棚枠２の搬送部網３から取外したり、この搬送終端部網３Ｆを搬送部網３Ｒに対して上方へ起立回動させて、スクレーパ９の上側面を開放して、前記上網３下面や、スクレーパ９部に詰ったわら屑等を手で取出して取除く。又、このようにして、下網４の前端部上面部をも開放できる形態では、この下網４上面のわら屑等を取除くことができる。又、下網４上面のわら屑等の異物を掃除するときは、前記搬送終端部網３Ｆや、搬送終端部スクレーパ９Ｆを前記搬送部網３Ｒや、搬送部スクレーパ９Ｒから取外し、又は上方へ起立回動させて、下網４前部上面を開放して掃除し易くする。
【００２６】
本実施の形態では、搬送終端部網３Ｆを取り外し、搬送終端部スクレーパ９Ｆを後端部のヒンジ５７回りに上方へ回動することで、下網４の搬送始端側の上面を開放する。
このように、上網３下面や、スクレーパ９部、又は下網４上面部の掃除を行った後は、これら搬送終端部網３Ｆや、搬送終端部スクレーパ９Ｆ等を取着け、又は倒伏回動して、搬送部網３Ｒ、又は搬送部スクレーパ９Ｒと同傾斜面にして、上網３、及びスクレーパ９として揺動する形態に戻して、粗選別作業できる態勢とする。
【００２７】
又、前記揺動棚枠２の上方部には、籾を繰出供給する漏斗１０や、この漏斗１０から繰出される籾を風選する選別風路１１、この選別風路１１に選別風を吸引通風する吸引ブロア１２、前記選別風路１１で風選された籾や、二番物を受ける籾落口１３、二番口１４等からなる風選装置１５を設け、前記選別風路１１の籾落口１３を、前記揺動棚枠２の上網３の後端上面部にのぞませ前記風選装置１５の選別風路１１は、揺動棚枠２後端部の風筒１６を介して、前記上網３と下網４との間の網棚室１７にのぞませて、この網棚室１７内の吸塵排出を行わせる。
【００２８】
前記架台１上方の漏斗１０に供給された原籾は、選別風路１１を吸引ブロア１２によって流れる選別風によって風選される。この選別風路１１で風選された籾粒や、比重の大きいわら屑や砂礫類は、籾口１３から直下部位置の揺動棚枠２の上網３後部面に流下供給されて、この上網３や下網４などによる粗選別作用を受けるが、前記選別風路１１で風選される比重の小さいわら屑、未熟籾等の二番物は、二番口１４に選別されて、最も軽い塵埃が選別風路１１を吸引ブロア１２へ吸引搬送されて機外へ排出される。
【００２９】
このように吸引ブロア１２によって吸引選別搬送のための吸引風は、前記揺動棚枠２部に配置される上網３や、下網４などの位置する網棚室１７から、風筒１６へ吸引されて、この選別風路１１へ流れることとなり、主として、前記網棚室１７内に発生する細塵埃を吸引排出しながら漏斗１０から繰出される原籾を風選する。前記風選装置１５は揺動棚枠２の後部上方に積載する形態の構成とするため、これら選別風路１１と網棚室１７との間を連結する風筒１６の配置構成を、揺動棚枠２の後端部で、架台１の後壁面よりも突出させるようにして、かつ着脱可能の形態とすることも可能であり、構成規模の大小形態等に拘らず、吸引排塵し易い構成とすることができる。
【００３０】
前記スクレーパ７は、支持枠２２を架台１のフレーム側に支持させて、前記クランク機構１９によっては連動しないで、常時定位置に固定した固定姿勢にあり、この固定状態のスクレーパ７に対して揺動する網３の下面を摺接させて、上網３下面を掃除するものである。架台１のサイドフレーム２３には、前記支持枠２２を前後複数間隔箇所で支持するクランク状の支持軸２４を有したブラケット２５を配置し、この支持軸２４のカム２８部で前記支持枠２２を支持して、この支持軸２４のカム２８部角度を調整溝２６のロックナット２７で回動調節して、支持枠２２、及びスクレーパ７の支持高さを高位置Ｈ、低位置Ｌに調整することができる。又、前記スクレーパ７の支持枠２２の後端下部には、ロッド２９前端のローラ３０を押し当てて支持調節する目詰防止機構３１を設け、Ｕ字具３２の締付けによって架台１側の角桟３３に固定することができ、前記上網３下面に対するブラシ２０の摺接圧を調節できる。前記角桟３３は、左右両端部を架台１後部のサイドフレーム２３部に固定して、この角桟３３の内側部を揺動棚枠２の側板３４の桟穴３５を挿通させている。
【００３１】
前記揺動棚枠２の上網３の後端部には流し板３６を設けて、上側の風選装置１５の籾落口１３から流下供給される籾を受けて、上網３上面へ移送供給する。上網３とスクレーパ９との下側には、受板３７を設けて、これら上網３から漏下した籾粒や細異物を受けて前側へ流下させ、前端部の折返し口３８を下網４の前端部上面にのぞませて、この折返し口３８から下網４上面に流下供給する形態である。又、この下網４の下側に沿って後下り傾斜面の受板３９を設け、下網４から漏下する細異物を受けて後端部の折返し口４０から、揺動棚枠２の最低部に位置する底板５の後端部上面にのぞませる。
【００３２】
前記揺動棚枠２の後端部には、下網４から流出する籾粒を排出する籾出口４１を、架台１の後側部に形成し、この籾出口４１の下端部をのぞませる一番口８、及び一番螺旋軸４２を設ける。一番螺旋軸４２は、前記モータ１８によって伝導回転して、下網４幅から流下される籾粒を受けて一番口８へ集送する。この一番口８から取出される籾は、籾摺調整形態では、シュータ等を介して次行程の籾摺機へ搬送供給される。
【００３３】
又、前記揺動棚枠２の前端部には、上網２の前端部をのぞませる三番口６と、底板５の前端部をのぞませる四番口７とを設け、架台１の底部室４３の前側に構成の排出シュート４４にのぞませている。
【００３４】
前記揺動棚枠２の上網３、スクレーパ９、及び受板３７と、下網４との上下間隔部は、前端部側を上下に狭く形成し、後端部側が上下に広く形成の網棚室１７を形成するが、この網棚室１７の後端部を開口して、この開口４５部を、架台１フレームの後側面に取付ける風筒１６を介して、架台上側部に搭載する風桟装置１５の選別風路１１の後端吸気口４６に連通させる。この風筒１６は、上端部の前下がり傾斜溝に形成のフック４７を、風選装置１５のフレーム側部のピン４８に係合させて吊り下げて、このフック４７の傾斜溝によって風筒１６を下動させながら前側の架台１後側面部に強く押し付けるようにして、この下端部には架台１側のブラケット４９からボルト５０を挿通して固定することができる。
【００３５】
前記上網３、及びスクレーパ９の前側に対向する揺動棚枠２の前壁部には、開閉可能のフロントカバー５１を設けて、このフロントカバー５１を開くことによって、前記揺動棚枠２から上網３や、スクレーパ９などを外して、前方へ取出すことができる。更に、これら上網３やスクレーパ９を取出すと、下網４をも取出すことができる。
【００３６】
前記上網３、及びスクレーパ９は、前端部適宜長さＤを分割可能の形態として、搬送終端部網３Ｆと搬送部スクレーパ９Ｒに構成する。これら搬送部網３Ｒや、搬送部スクレーパ９Ｒは、外周方形状の網枠５５、スクレーパ枠５６に固定し、搬送終端部網３Ｆや、搬送終端部スクレーパ９Ｆは、その網枠５５、スクレーパ枠５６に対して着脱可能にして取付ける。又、このスクレーパ９Ｆを後端部のヒンジ５７回りに上方へ回動可能の構成とすることもできる。
【００３７】
前記網枠５５の内側には流し板３６と搬送部網３Ｒを取付け、この搬送部網３Ｒの前端縁部を、網枠５５前部の網桟５８上に固着している。この搬送部網３Ｒの前端部に連接する搬送終端部網３Ｆは、外周に方形状の小網枠５９を形成して、この小網枠５９を、搬送部網３Ｒの前側に網桟５８と網枠５５部とで形成される網窓部６０に嵌合させて、掛金６１で固定することができる。この小網枠５９の左右両端上にはハンドル６２を形成して、搬送終端部網３Ｆの網枠５５に対する着脱作業を行い易くしている。前記スクレーパ９を着脱、又はヒンジ５７回りに回動するときは、前記上網３の搬送終端部網３Ｆを取外した状態で操作する。この搬送終端部スクレーパ９Ｆの形態では、搬送部スクレーパ９Ｒを構成するスクレーパ枠５６に前後方向に沿う溝６３を形成し、この溝６３部に搬送終端部スクレーパ９Ｆに構成する前部スクレーパ枠６４を嵌合させている。又、前後摺動自在に設けて、この搬送終端部スクレーパ９Ｆを着脱するとき、フロントカバー５１側から出し入れし易くすることもできる。
【００３８】
前記風選装置１５の漏斗１０は、出口部の繰出籾はロール７０の回転によって繰出される。この繰出籾は、選別風１１へ流下される風選された二番物は二番螺旋軸７１の回転によって二番口１４へ移送されて、シュート７２を経て機外へ排出される。
【符号の説明】
【００３９】
１      架台
２      揺動棚枠
３      上網
３Ｆ    搬送終端部網
３Ｒ    搬送部網
４      下網
５      底板
６      三番口
７      四番口
８      一番口
９      スクレーパ
９Ｆ    搬送終端部スクレーパ
９Ｒ    搬送部スクレーパ
１０    漏斗
１１    選別風路
１２    吸引ブロア
１３    籾口
１４    二番口
１５    風選装置
１６    風筒
１７    網棚室
【図１】
2014180653.tif 000003
【図２】
2014180653.tif 000004
【図３】
2014180653.tif 000005
【図４】
2014180653.tif 000006
【図５】
2014180653.tif 000007
【図６】
2014180653.tif 000008
【図７】
2014180653.tif 000009
【図８】
2014180653.tif 000010